(57)【要約】【課題】  露出補正処理により画像がどのような明るさとなるかを使用者が事前に知ることができる電子機器を提供する。【解決手段】  画像を表示する表示部と、操作入力に応じて画像の明るさを変える露出補正を行う露出補正制御部と、所定幅で分割された階調で表された画像の明るさと、各明るさごとの画像の画素数との関係を示すヒストグラムを算出するヒストグラム算出部と、ヒストグラム算出部によって算出されたヒストグラムを画像と共に表示部に表示し、露出補正制御部によって行われる露出補正に応じて、露出補正の着目対象として識別表示された所定幅の階調範囲の表示位置を移動させる表示制御部とを備え、電子機器を構成した。【選択図】  図４
2012034146.tif 000002
【特許請求の範囲】
【請求項１】
画像を表示する表示部と、
操作入力に応じて前記画像の明るさを変える露出補正を行う露出補正制御部と、
所定幅で分割された階調で表された前記画像の明るさと、各前記明るさごとの前記画像の画素数との関係を示すヒストグラムを算出するヒストグラム算出部と、
前記ヒストグラム算出部によって算出されたヒストグラムを前記画像と共に前記表示部に表示し、前記露出補正制御部によって行われる露出補正に応じて、露出補正の着目対象として識別表示された前記所定幅の階調範囲の表示位置を移動させる表示制御部と
を備える電子機器。
【請求項２】
請求項１に記載の電子機器において、
前記表示制御部は、前記露出補正制御部によって行われる露出補正に応じて、露出補正の着目対象として識別表示された前記所定幅の階調範囲の表示位置と共に、識別表示された前記所定幅の階調範囲に対応して前記画像内に露出補正の着目対象として識別表示される画像領域の表示位置を移動させることを特徴とする電子機器。
【請求項３】
請求項１または請求項２に記載の電子機器において、
前記露出補正制御部により露出補正が行われた前記画像のシミュレーション画像を作成するシミュレーション部を備え、
前記表示制御部は、前記シミュレーション部によって作成された前記シミュレーション画像を前記表示部に表示させることを特徴とする電子機器。
【請求項４】
請求項１から請求項３のいずれか１項に記載の電子機器において、
前記表示制御部は、識別表示された前記所定幅の階調範囲に対応して前記画像内に識別表示される画像領域の画素数の、前記画像の全画素数に対する割合を前記表示部に表示させることを特徴とする電子機器。
【請求項５】
請求項１から請求項４のいずれか１項に記載の電子機器において、
前記露出補正制御部によって行われる単位露出補正幅、または前記階調を均等に割った均等幅、または任意の階調幅に、前記所定幅を選択する選択手段を備えることを特徴とする電子機器。
【請求項６】
請求項１から請求項５のいずれか１項に記載の電子機器において、
前記階調の階調種類を設定する階調種類設定部を備えることを特徴とする電子機器。
【請求項７】
画像を表示する表示部と、
操作入力に応じて前記画像の明るさを変える露出補正を行う露出補正制御部と、
所定幅で分割された階調で表された前記画像の明るさと、各前記明るさごとの前記画像の画素数との関係を示すヒストグラムを算出するヒストグラム算出部と、
前記露出補正制御部により露出補正が行われた前記画像のシミュレーション画像を作成するシミュレーション部と、
前記シミュレーション画像について前記ヒストグラム算出部によって算出された前記ヒストグラムを前記シミュレーション画像と共に前記表示部に表示し、前記画像内に露出補正の着目対象として識別表示されていた画像領域に対応する前記所定幅の階調範囲を前記シミュレーション画像の前記ヒストグラムに識別表示する表示制御部と
を備える電子機器。
【請求項８】
画像を表示部に表示させる表示手順と、
操作入力に応じて前記画像の明るさを変える露出補正を行う露出補正制御手順と、
所定幅で分割された階調で表された前記画像の明るさと、各前記明るさごとの前記画像の画素数との関係を示すヒストグラムを算出するヒストグラム算出手順と、
前記ヒストグラム算出手順によって算出されたヒストグラムを前記画像と共に前記表示部に表示し、前記露出補正制御手順によって行われる露出補正に応じて、露出補正の着目対象として識別表示された前記所定幅の階調範囲の表示位置を移動させる表示制御手順と
をコンピュータに実行させるためのプログラム。
【請求項９】
画像を表示部に表示させる表示手順と、
操作入力に応じて前記画像の明るさを変える露出補正を行う露出補正制御手順と、
所定幅で分割された階調で表された前記画像の明るさと、各前記明るさごとの前記画像の画素数との関係を示すヒストグラムを算出するヒストグラム算出手順と、
前記露出補正制御手順により露出補正が行われた前記画像のシミュレーション画像を作成するシミュレーション手順と、
前記シミュレーション画像について前記ヒストグラム算出手順によって算出された前記ヒストグラムを前記シミュレーション画像と共に前記表示部に表示し、前記画像内に露出補正の着目対象として識別表示されていた画像領域に対応する前記所定幅の階調範囲を前記シミュレーション画像の前記ヒストグラムに識別表示する表示制御手順と
をコンピュータに実行させるためのプログラム。
【発明の詳細な説明】
【技術分野】
【０００１】
本発明は、電子機器およびプログラムに関する。
【背景技術】
【０００２】
従来、例えば、特許文献１に開示されたカメラがある。このカメラの液晶モニターには、輝度閾値毎に色分けされた撮影画像の色分け画像と共に、各階調域毎に定められた色彩の見本が縦一列に配列されてなる色パネルが表示される。十字キーの操作によってカーソルが移動させられると、カーソルの移動位置にある色パネルの色に定義付けられている輝度範囲にある画像の領域が、当該色によって表示される。カメラは、当該選択色の領域が適正な輝度域になるように画像のダイナミックレンジやガンマ特性などを決定し、露出補正処理を行う。
【先行技術文献】
【特許文献】
【０００３】
【特許文献１】特許第３８２０４９７号公報
【発明の概要】
【発明が解決しようとする課題】
【０００４】
しかしながら、上記従来のカメラは、露出補正処理により画像がどのような明るさとなるかを使用者は事前に知ることができなかった。
【課題を解決するための手段】
【０００５】
請求項１に記載の発明は、
画像を表示する表示部と、
操作入力に応じて画像の明るさを変える露出補正を行う露出補正制御部と、
所定幅で分割された階調で表された画像の明るさと、各明るさごとの画像の画素数との関係を示すヒストグラムを算出するヒストグラム算出部と、
ヒストグラム算出部によって算出されたヒストグラムを画像と共に表示部に表示し、露出補正制御部によって行われる露出補正に応じて、露出補正の着目対象として識別表示された所定幅の階調範囲の表示位置を移動させる表示制御部と
を備え、電子機器を構成した。
【０００６】
請求項７に記載の発明は、
画像を表示する表示部と、
操作入力に応じて画像の明るさを変える露出補正を行う露出補正制御部と、
所定幅で分割された階調で表された画像の明るさと、各明るさごとの画像の画素数との関係を示すヒストグラムを算出するヒストグラム算出部と、
露出補正制御部により露出補正が行われた画像のシミュレーション画像を作成するシミュレーション部と、
シミュレーション画像についてヒストグラム算出部によって算出されたヒストグラムをシミュレーション画像と共に表示部に表示し、画像内に露出補正の着目対象として識別表示されていた画像領域に対応する所定幅の階調範囲をシミュレーション画像のヒストグラムに識別表示する表示制御部と
を備え、電子機器を構成した。
【０００７】
請求項８に記載の発明は、
画像を表示部に表示させる表示手順と、
操作入力に応じて画像の明るさを変える露出補正を行う露出補正制御手順と、
所定幅で分割された階調で表された画像の明るさと、各明るさごとの画像の画素数との関係を示すヒストグラムを算出するヒストグラム算出手順と、
ヒストグラム算出手順によって算出されたヒストグラムを画像と共に表示部に表示し、露出補正制御手順によって行われる露出補正に応じて、露出補正の着目対象として識別表示された所定幅の階調範囲の表示位置を移動させる表示制御手順と
をコンピュータに実行させるプログラムを構成した。
【０００８】
請求項９に記載の発明は、
画像を表示部に表示させる表示手順と、
操作入力に応じて画像の明るさを変える露出補正を行う露出補正制御手順と、
所定幅で分割された階調で表された画像の明るさと、各明るさごとの画像の画素数との関係を示すヒストグラムを算出するヒストグラム算出手順と、
露出補正制御手順により露出補正が行われた画像のシミュレーション画像を作成するシミュレーション手順と、
シミュレーション画像についてヒストグラム算出手順によって算出されたヒストグラムをシミュレーション画像と共に表示部に表示し、画像内に露出補正の着目対象として識別表示されていた画像領域に対応する所定幅の階調範囲をシミュレーション画像のヒストグラムに識別表示する表示制御手順と
をコンピュータに実行させるプログラムを構成した。
【発明の効果】
【０００９】
本発明によれば、露出補正処理により画像がどのような明るさとなるかを使用者は事前に知ることができる。
【図面の簡単な説明】
【００１０】
【図１】（ａ）は本発明の一実施の形態によるデジタルカメラの外観の概略を示す正面斜視図、（ｂ）は背面斜視図である。
【図２】図１に示すデジタルカメラの電気回路構成の概略を示すブロック図である。
【図３】図１に示すデジタルカメラの露出補正モード時にモニタに表示される画面を示す図である。
【図４】図１に示すデジタルカメラのＣＰＵによって露出補正モード時に行われる制御処理の概略を示すフローチャートである。
【発明を実施するための形態】
【００１１】
本発明による電子機器として、デジタルカメラを例に挙げて一実施の形態を説明する。
【００１２】
図１（ａ）は、本発明の一実施の形態によるデジタルカメラ１の外観の概略を示す正面斜視図である。
【００１３】
デジタルカメラ１は、カメラボディ２と、カメラボディ２の前面に設けられた撮影用のレンズ３とから構成される。カメラボディ２の正面から見て左側には、撮影時に撮影者によって握られるグリップ部４が設けられている。グリップ部４の上面には、撮影用のシャッターボタンであるレリーズボタン５が設けられている。レリーズボタン５の右方のカメラボディ２の上面には、操作されるとデジタルカメラ１の内部の各回路に動作電源を供給させる電源ボタン６が設けられている。カメラボディ２の前面の右上側には、被写体が暗い場合に明るさを確保するためのフラッシュ７、フラッシュ７の左側のカメラボディ２の前面には、ＬＥＤ（Light Emitting Diode）８が備えられている。ＬＥＤ８は、フラッシュ７が発光する前に点灯して人物の目が赤く光る現象を抑制する赤目軽減ランプ、暗い被写体のピント合わせを行う際に発光するＡＦ（オートフォーカス）補助光ランプ、およびレリーズボタン５を押下操作してから所定時間経過後に撮影が行われるタイミングを報知するセルフタイマランプとして用いられる。
【００１４】
図１（ｂ）は、デジタルカメラ１の外観の概略を示す背面斜視図である。なお、同図（ｂ）において同図（ａ）と同一部分には同一符号を付してその説明は省略する。
【００１５】
カメラボディ２の背面にはモニタ１１が設けられている。モニタ１１は、例えばＴＦＴ（Thin Film Transistor）液晶からなり、構図を確認するためのスルー画や、撮影情報などの各種情報が表示されると共に、撮影した画像が再生表示される。モニタ１１の右側には、ズームボタン１３、およびマルチセレクタ１４が配置されている。ズームボタン１３は、モニタ１１に表示される撮影画像を拡大、縮小表示させる際などに操作される。マルチセレクタ１４は、上下方向および左右方向といった操作方向を検出する方向キーからなり、デジタルカメラ１の各種設定を行うメニュー画面において、種々の設定項目の中から所望の設定項目を選択する際などに操作される。マルチセレクタ１４の中央には決定ボタン１５が設けられている。決定ボタン１５は、マルチセレクタ１４の操作によって選択された所望の設定項目を決定する際などに操作される。
【００１６】
図２は、デジタルカメラ１の電気回路の構成を示したブロック図である。
【００１７】
デジタルカメラ１は、ＣＰＵ（Central Processing Unit）２１を備えている。ＣＰＵ２１は、不揮発性メモリ２２に格納されている制御プログラムに従い、バッファメモリ２３を一時記憶作業領域として、デジタルカメラ１内部の各回路について種々の制御処理を行う。
【００１８】
レンズ３によってカメラ内部に導かれた被写体光は、撮像手段を構成する撮像素子２５の受光面に入射する。撮像素子２５は、例えばＣＣＤ（Charge Coupled Device）やＣＭＯＳ（Complementary Metal Oxide Semiconductor）などからなり、受光面に入射する被写体光を電荷として蓄積して被写体を撮像する。撮像素子２５で被写体を撮像する際、ＣＰＵ２１は、ピント・露出調整装置２６を作動させてＡＦ（Auto Focus）およびＡＥ（Auto Exposure）機能を働かせる。ピント・露出調整装置２６は、例えば、撮像素子２５の受光面上に結像される被写体像のコントラストが最も高くなるようにレンズ３の位置を移動させ、焦点を自動調整する。ピント・露出調整装置２６は、撮像素子２５の受光面上に結像される被写体像の明るさが適正露出になるように、図示しない絞りの開口量および図示しないシャッタ幕の開口時間（シャッタスピード）を調節し、露出を自動調節する。撮像素子２５の受光面に結像した被写体像はアナログの撮像信号に変換され、この撮像信号は、ＴＧ（Timing Generator）２７によって生成されるタイミングに従ってＡ／Ｄ（Analog／Digital）変換回路２８へ出力される。Ａ／Ｄ変換回路２８は、撮像素子２５が出力したアナログの撮像信号をデジタル信号に変換する。
【００１９】
Ａ／Ｄ変換回路２８で変換されたデジタルの撮像信号は、画像処理ブロック２９内の画像処理回路３０によってイメージメモリ３１に一時的に記憶される。画像処理回路３０は、イメージメモリ３１に記憶された撮像信号を読み出し、読み出したデジタルの撮像信号に対してホワイトバランス処理やガンマ補正などの画像処理を行って現像画像データを生成し、圧縮回路３２へ出力する。圧縮回路３２は、画像処理回路３０から入力した現像画像データを所定の比率で圧縮する圧縮処理を行い、ＪＰＥＧ（Joint Photographic Experts Group）等の圧縮画像データを生成する。圧縮処理された画像データは、バッファメモリ２３に一時的に格納される。バッファメモリ２３に格納された圧縮画像データは、図示しないカードスロットに着脱される不揮発性メモリからなるカード状の記録媒体３３に保存される。また、表示回路３４に出力されてモニタ１１に画像として表示される。モニタ１１は、撮影画像を表示する表示部を構成している。
【００２０】
ＣＰＵ２１には、操作部材３６が接続されている。操作部材３６は、レリーズボタン５、電源ボタン６、ズームボタン１３、マルチセレクタ１４、および決定ボタン１５などである。ＣＰＵ２１は、操作部材３６から出力される信号に基づいた制御処理を行う。
【００２１】
ＣＰＵ２１および画像処理回路３０は、操作入力に応じて撮影画像の明るさを変える露出補正を行う露出補正制御部を構成している。マルチセレクタ１４の右方に設けられた露出補正箇所１４ａが押下操作されると、ＣＰＵ２１は、画像処理回路３０に制御信号を出力して、撮影画像の明るさを変える露出補正モードを起動する。また、ＣＰＵ２１は、表示制御部を構成しており、露出補正モードを起動すると、図３（ａ）に示すように、撮像素子２５によって撮像される撮影画像に相当するスルー画像４１と共にヒストグラム４２をモニタ１１に表示する。ヒストグラム４２は、ヒストグラム算出部を構成するＣＰＵ２１によって算出され、階調で表されたスルー画像４１の明るさを横軸（モニタ１１の画面縦方向）として、各明るさごとのスルー画像４１の画素数を縦軸（モニタ１１の画面横方向）として、関係を示したものである。本実施形態における階調は、黒色を示す０から白色を示す２５５の２５６段階の階調数で表され、階調数値が大きいほど明るい色に対応する。この階調は、マルチセレクタ１４が左または右に１回押下操作される単位露出補正操作毎に露出補正制御部によって行われる単位露出補正幅を所定幅として分割されており、単位露出補正幅は１／３ＥＶ（Exposure Value）に設定されている。ヒストグラム４２の横軸に付された目盛は、単位露出補正幅間隔に付され、目盛“０”の位置は適正露出に相当する階調値を示している。
【００２２】
同図（ｂ）に示すように、露出補正の着目対象とする所定幅の階調範囲４２ａは白抜きで識別表示され、識別表示された所定幅の階調範囲４２ａに対応するスルー画像４１内における画像領域４１ａは、同図において斜線で示すブリンク表示で露出補正の着目対象として識別表示される。露出補正の着目対象とする所定幅の階調範囲４２ａおよび画像領域４１ａの識別表示位置は、マルチセレクタ１４の上下操作で移動させることができる。また、表示制御部は、露出補正制御部によって行われる露出補正に応じて、ブリンク表示で識別表示された画像領域４１ａの表示位置を移動させる。例えば、マルチセレクタ１４の操作によって露出補正の着目対象を１段階明るくする操作がされると、表示制御部は、識別表示された所定幅の階調範囲４２ａを同図（ｂ）に示す０の階調範囲から同図（ｃ）に示すように＋１／３ＥＶ上方に移動表示させると共に、０の階調範囲に対応したスルー画像４１内の同図（ｂ）に示す画像領域４１ａを、＋１／３ＥＶ上がった階調範囲に対応した同図（ｃ）に示す画像領域４１ａに移動表示させる。また、表示制御部は、識別表示された所定幅の階調範囲４２ａに対応してスルー画像４１内に識別表示される画像領域４１ａの画素数の、スルー画像４１の全画素数に対する割合を百分率で、例えば同図（ｂ）に示すように１２％、同図（ｃ）に示すように４％と、モニタ１１に表示させる。
【００２３】
ＣＰＵ２１および画像処理回路３０は、シミュレーション部を構成しており、露出補正制御部により露出補正が行われたスルー画像４１のシミュレーション画像を作成する。表示制御部は、シミュレーション部によって作成されたシミュレーション画像をモニタ１１に表示させる。本実施形態では、表示制御部は、シミュレーション画像についてヒストグラム算出部によって算出されたヒストグラム４２をシミュレーション画像と共にモニタ１１に表示し、スルー画像４１内に露出補正の着目対象として識別表示されていた画像領域４１ａに対応する所定幅の階調範囲４２ａを、シミュレーション画像のヒストグラム４２に識別表示する。
【００２４】
図４に示すフローチャートを参照して、デジタルカメラ１のＣＰＵ２１によって露出補正モード時に行われる制御処理について説明する。
【００２５】
ＣＰＵ２１は、Ｓ１において、マルチセレクタ１４の露出補正箇所１４ａが押下操作されて露出補正モードが起動されたか否かを、判定する。露出補正箇所１４ａが押下操作されておらず、Ｓ１の判定結果が“Ｎｏ”であった場合、ＣＰＵ２１は、Ｓ１の判定処理を繰り返す。露出補正箇所１４ａが押下操作されて、Ｓ１の判定結果が“Ｙｅｓ”であった場合、ＣＰＵ２１は、露出補正モードを起動し、Ｓ２において、ヒストグラム４２を算出して算出したヒストグラム４２をスルー画像４１と共に、図３（ａ）に示すようにモニタ１１に表示する。
【００２６】
ＣＰＵ２１は、Ｓ３において、マルチセレクタ１４の上下操作によって露出補正幅と等しい所定幅の階調範囲４２ａが露出補正の着目対象として選択されたか否かを、判定する。マルチセレクタ１４が上下操作されると、まず、例えば、図３（ｂ）に示すように、露出補正の着目対象として、適正露出に相当する所定幅の階調範囲４２ａが白抜きで識別表示されると共に、識別表示された所定幅の階調範囲４２ａに対応するスルー画像４１の画像領域４１ａがブリンク表示される。所定幅の階調範囲４２ａの識別表示位置および画像領域４１ａのブリンク表示位置は、マルチセレクタ１４の上下操作によって移動し、露出補正範囲が選択され、Ｓ３の判定結果が“Ｙｅｓ”であった場合、ＣＰＵ２１は、Ｓ４において、選択された所定幅の階調範囲４２ａおよびこの所定幅の階調範囲４２ａに対応するスルー画像４１の画像領域４１ａを、露出補正の着目対象として、例えば、図３（ｂ）に示す位置のまま、識別表示させる。さらにマルチセレクタ１４が１回上押下操作されると、図３（ｃ）に示すように、ＣＰＵ２１は、階調範囲４２ａの識別表示位置を１段上方に移動させ、Ｓ４において、この移動に応じて画像領域４１ａのブリンク表示位置も移動させる。ＣＰＵ２１は、Ｓ５において、ブリンク表示している画像領域４１ａの面積を算出し、画像領域４１ａがスルー画像４１の全画像領域に占める割合を算出する。そして、算出結果をモニタ１１に百分率で例えば図３（ｂ）に示すように１２％と表示する。
【００２７】
ＣＰＵ２１は、Ｓ６において、マルチセレクタ１４の左右操作によって露出補正操作がされたか否かを、判定する。露出補正操作が行われてＳ６の判定結果が“Ｙｅｓ”であった場合、ＣＰＵ２１は、Ｓ７において、スルー画像４１を露出補正に応じて明るく又は暗く表示し、同時にヒストグラム４２も画面の変化に応じて再表示する。露出補正は、マルチセレクタ１４の左押下回数に応じた段数でマイナス露出補正が行われ、マルチセレクタ１４の右押下回数に応じた段数でプラス露出補正が行われる。露出補正を行うことにより階調範囲４２ａの識別表示位置は変化しないが、スルー画像４１の明るさとヒストグラム４２の形は変化するため、ＣＰＵ２１は、Ｓ８において、この露出補正に応じて画像領域４１ａのブリンク表示位置も移動させる。続くＳ９において、ＣＰＵ２１は、ブリンク表示させた画像領域４１ａの領域の面積を算出し、画像領域４１ａがスルー画像４１の全画像領域に占める割合を算出する。
【００２８】
ＣＰＵ２１は、続くＳ１０において、レリーズボタン５が全押しされたか否かを、判定する。Ｓ３、Ｓ６、またはＳ１０の各判定処理における判定結果が“Ｎｏ”であった場合、ＣＰＵ２１は、処理をＳ３に戻す。レリーズボタン５が全押しされて、Ｓ１０の判定結果が“Ｙｅｓ”であった場合、ＣＰＵ２１は、Ｓ１１において、スルー画像４１にシミュレーション表示される画像を撮影し、処理を終了する。
【００２９】
このような本実施形態のデジタルカメラ１によれば、図４，Ｓ２において、表示制御部により、ヒストグラム算出部によって算出されたヒストグラム４２がスルー画像４１と共にモニタ１１に表示され、Ｓ４において、露出補正の着目対象として識別表示された例えば図３（ｂ）に示す所定幅の階調範囲４２ａの表示位置は、マルチセレクタ１４の上下操作によって、例えば図３（ｃ）に示すように移動させられる。このため、所定幅の階調範囲４２ａが移動した表示位置の階調の値から、露出補正処理の結果、撮影画像がどのような階調値の明るさとなるかを事前に予測して知ることができる。従って、撮影者は、勘に頼らない露出補正操作が行える。
【００３０】
本実施形態によれば、Ｓ８において、表示制御部により、識別表示された所定幅の階調範囲４２ａの表示位置と共に、識別表示された所定幅の階調範囲４２ａに対応してスルー画像４１内に露出補正の着目対象として識別表示される画像領域４１ａの表示位置も、露出補正制御部によって行われる露出補正に応じて移動させられる。このため、露出補正処理の結果、撮影画像がどのような明るさとなるかを、階調の値に加えて、スルー画像４１内に識別表示される画像領域４１ａの移動前後の各明るさから、事前に具体的に予測して知ることができる。
【００３１】
本実施形態によれば、Ｓ５およびＳ９において、スルー画像４１内に識別表示される画像領域４１ａの画素数の、スルー画像４１の全画素数に対する割合が表示制御部によってモニタ１１に表示させられる。このため、スルー画像４１内に識別表示される画像領域４１ａがスルー画像４１の全領域に占める割合を数値で把握することができ、識別表示される画像領域４１ａが他の領域のスルー画像４１の明るさに与える影響を評価しやすくなる。
【００３２】
なお、上記実施形態において、Ｓ５の処理が行われた後、Ｓ６〜Ｓ９の上述した処理を行うのに代えて、レリーズボタン５が半押しされたか否かを判定して、次のような処理を行う構成にしてもよい。つまり、Ｓ５の処理が行われた後、レリーズボタン５が半押しされた場合、ＣＰＵ２１は、ブリンク表示させた画像領域４１ａが適正露出となるようにシャッタスピードや絞り値を調節して露出補正を行う。次に、ＣＰＵ２１は、露出補正の結果得られる画像をシミュレーション画像として作成し、作成したシミュレーション画像をモニタ１１に表示する（不図示）。次に、ＣＰＵ２１は、シミュレーション画像についてのヒストグラム４２を算出し、算出したヒストグラム４２をモニタ１１にシミュレーション画像と共に表示する。そして、露出補正の着目対象として図３（ｃ）に示すようにブリンク表示させていた画像領域４１ａに対応する階調範囲４２ａを、シミュレーション画像のヒストグラム４２に識別表示する（不図示）。そして、ＣＰＵ２１は、Ｓ１０において、レリーズボタン５が全押しされたか否かを、判定する。レリーズボタン５が全押しされて、Ｓ１０の判定結果が“Ｙｅｓ”であった場合、ＣＰＵ２１は、Ｓ１１において、スルー画像４１にシミュレーション表示される画像を撮影し、処理を終了する。
【００３３】
上記の構成によれば、表示制御部により、ヒストグラム４２がシミュレーション画像と共にモニタ１１に表示され、例えば図３（ｃ）に示すようにスルー画像４１内に露出補正の着目対象として識別表示されていた画像領域４１ａに対応する所定幅の階調範囲４２ａが、シミュレーション画像のヒストグラム４２に識別表示される。このため、シミュレーション画像のヒストグラム４２に識別表示された所定幅の階調範囲４２ａの値から、露出補正の着目対象として識別表示されていた画像領域４１ａの階調の値がシミュレーション画像において分り、露出補正処理の結果、撮影画像がどのような階調値の明るさとなるかを事前に知ることができる。従って、このシミュレーション画像からも、撮影者は、勘に頼らない露出補正操作が行える。
【００３４】
上記の構成によれば、露出補正制御部により露出補正が行われたスルー画像４１のシミュレーション画像がシミュレーション部によって作成され、作成されたシミュレーション画像は、表示制御部によってモニタ１１に表示させられる。このため、露出補正処理の結果は、モニタ１１に表示されたシミュレーション画像により、予測することなく目視することができる。
【００３５】
また、上記実施形態では、階調を分割する所定幅を露出補正制御部によって行われる単位露出補正幅とした場合について説明したが、本発明はこれに限られることはない。例えば、所定幅は、階調を均等に割った均等幅や、任意の階調幅にしてもよい。この場合、露出補正制御部によって行われる単位露出補正幅、階調を均等に割った均等幅、および任意の階調幅を、階調を分割する所定幅として、モニタ１１のメニュー画面に表示し、マルチセレクタ１４の操作によって表示した中から任意のものを選択できるように構成する。この際、モニタ１１、マルチセレクタ１４およびＣＰＵ２１は、階調を分割する所定幅を選択する選択手段を構成する。この構成によれば、階調を分割する所定幅は、選択手段を操作することにより、単位露出補正幅、または階調を均等に割った均等幅、または任意の階調幅に選択され、露出補正操作が行い易い階調幅を適宜選択することができる。
【００３６】
また、上記実施形態では、階調が１種類とした場合について説明したが、本発明はこれに限られることはなく、複数の階調を選択できてもよい。この場合、例えば、モニタ１１のメニュー画面に幾つかの階調を表示し、マルチセレクタ１４の操作によって表示した中から任意のものを設定する構成にする。この際、モニタ１１、マルチセレクタ１４およびＣＰＵ２１は、階調の種類を設定する階調種類設定部を構成する。この構成によれば、設定する階調を変更するとヒストグラム４２におけるヒストグラムの形が変化し、同時にスルー画像４１の明るさとブリンク表示する画像領域４１ａもまた変化する。露出補正により、ヒストグラム４２、スルー画像４１、およびブリンク表示４１ａを変化させることができるが、階調を変化させることにより、これらを変化させることもできる。
【００３７】
また、上記実施形態においては、撮影画像に対して露出補正を行う場合について説明したが、本発明はこれに限られることはない。例えば、既に撮影済みの撮影画像に対して露出補正を行う場合にも適用することができる。
【００３８】
また、上記実施形態においては、単位露出補正幅が１／３ＥＶ間隔で設定されている場合について説明したが、本発明はこれに限られることはない。例えば、単位露出補正幅が１／２ＥＶ間隔や他の間隔に設定されていてもよい。
【００３９】
また、上記実施形態では、本発明による電子機器をデジタルカメラに適用した場合について説明したが、本発明はこれに限られることはない。デジタルカメラ以外の電子機器、例えば、パーソナルコンピュータなどの他の電子機器に本発明を適用してもよい。この場合、例えば、記録媒体３３に記録された撮影画像がパーソナルコンピュータに転送され、パーソナルコンピュータ内で上述した露出補正処理が行われる。
【００４０】
また、本発明は電子機器に限らず、コンピュータのプログラムとして実現することも可能である。この場合、プログラムは、コンピュータに、
撮影画像を液晶ディスプレイなどからなる表示部に表示させる表示手順と、
撮影画像の明るさを変える露出補正を操作入力に応じて行う露出補正制御手順と、
所定幅で分割された階調で表された撮影画像の明るさと、各明るさごとの撮影画像の画素数との関係を示すヒストグラム４２を算出するヒストグラム算出手順と、
ヒストグラム算出手順によって算出されたヒストグラム４２を撮影画像と共に表示部に表示し、露出補正制御手順によって行われる露出補正に応じて、露出補正の着目対象として識別表示された所定幅の階調範囲４２ａの表示位置を移動させる表示制御手順と
を実行させる。
【００４１】
上記のプログラムによれば、表示制御手順により、ヒストグラム算出手順によって算出されたヒストグラム４２は撮影画像と共に表示部に表示され、露出補正の着目対象として識別表示された所定幅の階調範囲４２ａの表示位置は、露出補正制御手順によって行われる露出補正に応じて移動させられる。このため、所定幅の階調範囲４２ａが移動した表示位置の階調の値から、露出補正処理により画像がどのような階調値の明るさとなるかを使用者は事前に知ることができる。
【００４２】
プログラムは、コンピュータに、
撮影画像を液晶ディスプレイなどからなる表示部に表示させる表示手順と、
撮影画像の明るさを変える露出補正を操作入力に応じて行う露出補正制御手順と、
所定幅で分割された階調で表された撮影画像の明るさと、各明るさごとの撮影画像の画素数との関係を示すヒストグラム４２を算出するヒストグラム算出手順と、
露出補正制御手順により露出補正が行われた撮影画像のシミュレーション画像を作成するシミュレーション手順と、
シミュレーション画像についてヒストグラム算出手順によって算出されたヒストグラム４２をシミュレーション画像と共に表示部に表示し、撮影画像内に露出補正の着目対象として識別表示されていた画像領域４１ａに対応する所定幅の階調範囲４２ａをシミュレーション画像のヒストグラム４２に識別表示する表示制御手順と
を実行させるように構成することも可能である。
【００４３】
上記のプログラムによれば、表示制御手順により、ヒストグラム４２がシミュレーション画像と共に表示部に表示され、撮影画像内に露出補正の着目対象として識別表示されていた画像領域４１ａに対応する所定幅の階調範囲４２ａが、シミュレーション画像のヒストグラム４２に識別表示される。このため、シミュレーション画像のヒストグラム４２に識別表示された所定幅の階調範囲４２ａの値から、露出補正の着目対象として識別表示されていた画像領域の階調の値が分り、露出補正処理により画像がどのような階調値の明るさとなるかを使用者は事前に知ることができる。
【符号の説明】
【００４４】
１…デジタルカメラ
５…レリーズボタン
１１…モニタ
１４…マルチセレクタ
１５…決定ボタン
２１…ＣＰＵ
２２…不揮発性メモリ
３０…画像処理回路
４１…スルー画像
４２…ヒストグラム
【図１】
2012034146.tif 000003
【図２】
2012034146.tif 000004
【図３】
2012034146.tif 000005
【図４】
2012034146.tif 000006